(57)【特許請求の範囲】
【請求項１】
コンテンツデータを再生可能な再生装置と、再生されたコンテンツデータに基づくデータを出力可能な出力装置とにより構成される通信システムに適用される消費電力制御方法であって、
無線通信インタフェースを通じて、前記再生装置で再生されるコンテンツデータを前記出力装置へ送信し、
前記再生装置と前記出力装置のいずれか一方でデータ再生の停止要求があった場合、前記無線通信インタフェースを通じて、少なくとももう一方の装置を無線通信に関わる消費電力を低減させた状態である低消費電力動作状態に遷移させ、
前記低消費電力動作状態として、無線通信の接続状態を保ったままとする第１のモードと、接続を断ち切った状態とする第２のモードのうち、事前に選択されている方のモードへの移行を実行することを特徴とする消費電力制御方法。
【請求項２】
前記出力装置でデータ再生の停止要求があった場合、前記無線通信インタフェースを通じて前記再生装置を低消費電力動作状態に遷移させるとともに、当該出力装置を低消費電力動作状態に遷移させることを特徴とする請求項１記載の消費電力制御方法。
【請求項３】
前記出力装置でデータ再生要求があった場合、当該出力装置を前記低消費電力動作状態から元の動作状態に復帰させるとともに、前記無線通信インタフェースを通じて前記再生装置を前記低消費電力動作状態から元の動作状態に復帰させることを特徴とする請求項２記載の消費電力制御方法。
【請求項４】
前記再生装置でデータ再生の停止要求があった場合、前記無線通信インタフェースを通じて前記出力装置を低消費電力動作状態に遷移させるとともに、当該再生装置を低消費電力動作状態に遷移させることを特徴とする請求項１乃至３のいずれかに記載の消費電力制御方法。
【請求項５】
前記再生装置でデータ再生要求があった場合、当該再生装置を前記低消費電力動作状態から元の動作状態に復帰させるとともに、前記無線通信インタフェースを通じて前記出力装置を前記低消費電力動作状態から元の動作状態に復帰させることを特徴とする請求項１乃至４のいずれかに記載の消費電力制御方法。
【請求項６】
前記再生装置と前記出力装置のいずれか一方でデータ再生要求があった場合に前記無線通信の接続状態が断ち切られた状態となっていれば、当該無線通信の接続を確立してから、もう一方の装置を前記低消費電力動作状態から元の動作状態に復帰させることを特徴とする請求項１乃至５のいずれかに記載の消費電力制御方法。
【請求項７】
無線通信インタフェースと、
前記無線通信インタフェースを通じて再生装置から送信されてくるコンテンツデータにしたがってデータを出力する手段と、
データ再生の停止要求があった場合に、前記無線通信インタフェースを通じて、少なくとも前記再生装置を無線通信に関わる消費電力を低減させた状態である低消費電力動作状態に遷移させる手段と
を具備し、
前記遷移手段は、前記低消費電力動作状態として、無線通信の接続状態を保ったままとする第１のモードと、接続を断ち切った状態とする第２のモードのうち、事前に選択されている方のモードへの移行を実行することを特徴とする出力装置。
【請求項８】
前記データ再生の停止要求があった場合、当該出力装置も低消費電力動作状態に遷移させることを特徴とする請求項７記載の出力装置。
【請求項９】
データ再生要求があった場合、当該出力装置を前記低消費電力動作状態から元の動作状態に復帰させるとともに、前記無線通信インタフェースを通じて前記再生装置を前記低消費電力動作状態から元の動作状態に復帰させることを特徴とする請求項８記載の出力装置。
【請求項１０】
無線通信インタフェースと、
コンテンツデータを再生する手段と、
前記再生手段により再生されるコンテンツデータを、前記無線通信インタフェースを通じて出力装置へ送信する手段と、
データ再生の停止要求があった場合に、前記無線通信インタフェースを通じて、少なくとも前記出力装置を無線通信に関わる消費電力を低減させた状態である低消費電力動作状態に遷移させる手段と
を具備し、
前記遷移手段は、前記低消費電力動作状態として、無線通信の接続状態を保ったままとする第１のモードと、接続を断ち切った状態とする第２のモードのうち、事前に選択されている方のモードへの移行を実行することを特徴とする再生装置。
【請求項１１】
前記データ再生の停止要求があった場合、当該再生装置も低消費電力動作状態に遷移させることを特徴とする請求項１０記載の再生装置。
【請求項１２】
データ再生要求があった場合、当該再生装置を前記低消費電力動作状態から元の動作状態に復帰させるとともに、前記無線通信インタフェースを通じて前記出力装置を前記低消費電力動作状態から元の動作状態に復帰させることを特徴とする請求項１１記載の再生装置。
【発明の詳細な説明】
【０００１】
【発明の属する技術分野】
本発明は、コンテンツデータ再生機能を有する再生装置、データ出力機能を有する出力装置、及び消費電力制御方法に係わり、特に無線通信インタフェースを通じてコンテンツデータを送受する通信システムに適用される消費電力制御方法に関する。
【０００２】
【従来の技術】
近年、BluetoothやHomeRF等のパーソナルエリアの無線技術の出現により、これら無線技術に基づく無線インターフェースの各種電子機器（パーソナルコンピュータ、携帯情報端末、携帯電話機等）への採用が検討され、また実際に採用したものも現れてきている。
【０００３】
特にBluetoothは、安価であること、また、規格団体がその接続性を重視していることなどから、次世代の近距離無線通信の標準技術になると考えられている。このBluetooth技術は色々な分野への適用が期待されており、ＡＶ(Audio/Video)機器への応用に大きな期待がもたれている分野の一つである。
【０００４】
ＡＶ機器への応用の一つとして、ワイヤレスヘッドフォンへのＡＶデータ伝送が挙げられる（例えば、［特許文献１］参照）。この場合、ワイヤレスヘッドフォンをBluetooth技術で携帯型オーディオプレーヤなどと接続することにより、従来のケーブルが不要となり、より快適なオーディオ再生環境が期待される。
【０００５】
また、ワイヤレスヘッドセットという携帯型装置に関しては、従来から赤外線、高周波無線などを用いたものが発表されており既に実用に至っている。このような従来型のワイヤレスヘッドセットと、ここで考えているBluettoothワイヤレスヘッドセット装置との大きな違いは、Bluetoothはコネクション型の無線通信方式（即ち、論理的なコネクションを保った状態で各種データを送受する無線通信方式）であるということである。これにより多くの機器への適用、プロトコルによりデータ信頼性の確保など、従来方式に比べて大きなメリットがあると考えられる。
【０００６】
【特許文献１】
特開２００２−１１２３８３号公報
【０００７】
【発明が解決しようとする課題】
しかしながら、Bluetoothのようなコネクション型の通信方式においては論理的なコネクションを維持するために、オーディオデータなどを伝送していない期間でもＲＦ部による送受信を実行しており、常に大きな電力が消費されている状態となっている。このような状況では装置のバッテリ残量の低下が著しく、特に携帯型の装置にとっては望ましくない状態である。
【０００８】
本発明は上記実情に鑑みてなされたものであり、使い勝手の良好さを維持しつつ消費電力の低減を実現する再生装置、出力装置、及び消費電力制御方法を提供することを目的とする。
【０００９】
【課題を解決するための手段】
本発明に係る消費電力制御方法は、コンテンツデータを再生可能な再生装置と、再生されたコンテンツデータに基づくデータを出力可能な出力装置とにより構成される通信システムに適用される消費電力制御方法であって、無線通信インタフェースを通じて、前記再生装置で再生されるコンテンツデータを前記出力装置へ送信し、前記再生装置と前記出力装置のいずれか一方でデータ再生の停止要求があった場合、前記無線通信インタフェースを通じて、少なくとももう一方の装置を無線通信に関わる消費電力を低減させた状態である低消費電力動作状態に遷移させ、前記低消費電力動作状態として、無線通信の接続状態を保ったままとする第１のモードと、接続を断ち切った状態とする第２のモードのうち、事前に選択されている方のモードへの移行を実行することを特徴とする。
【００１０】
また、本発明に係る出力装置は、無線通信インタフェースと、前記無線通信インタフェースを通じて再生装置から送信されてくるコンテンツデータにしたがってデータを出力する手段と、データ再生の停止要求があった場合に、前記無線通信インタフェースを通じて、少なくとも前記再生装置を無線通信に関わる消費電力を低減させた状態である低消費電力動作状態に遷移させる手段とを具備し、前記遷移手段は、前記低消費電力動作状態として、無線通信の接続状態を保ったままとする第１のモードと、接続を断ち切った状態とする第２のモードのうち、事前に選択されている方のモードへの移行を実行することを特徴とする。
【００１１】
また、本発明に係る再生装置は、無線通信インタフェースと、コンテンツデータを再生する手段と、前記再生手段により再生されるコンテンツデータを、前記無線通信インタフェースを通じて出力装置へ送信する手段と、データ再生の停止要求があった場合に、前記無線通信インタフェースを通じて、少なくとも前記出力装置を無線通信に関わる消費電力を低減させた状態である低消費電力動作状態に遷移させる手段とを具備し、前記遷移手段は、前記低消費電力動作状態として、無線通信の接続状態を保ったままとする第１のモードと、接続を断ち切った状態とする第２のモードのうち、事前に選択されている方のモードへの移行を実行することを特徴とする。
【００１２】
【発明の実施の形態】
以下、図面を参照して本発明の実施形態を説明する。
【００１３】
図１は、本発明の一実施形態に係る音楽再生装置の概略構成を示すブロック図である。また、図２は、同実施形態に係るヘッドフォンの概略構成を示すブロック図である。
【００１４】
図１に示される音楽再生装置１は、例えば携帯型の音楽プレーヤであり、操作部１１、オーディオデータ格納部１２、無線通信部１３、電源（及び電源コントローラ）１４、システム制御部１５などを有している。なお、音楽再生装置１は、携帯情報端末や携帯電話機などの電子機器で実現してもよい。
【００１５】
操作部１1は、電源（オン／オフ）ボタンや再生処理用ボタン群（再生ボタン、停止ボタン、一時停止ボタン、早送りボタン、巻き戻しボタン）など、音楽プレーヤとして必要な操作ボタンもしくはスイッチを備えており、ボタン押下があった場合には対応するコマンドがシステム制御部１５へ送られるようになっている。
【００１６】
オーディオデータ格納部１２は、オーディオデータを格納している不揮発性の記憶媒体であり、ＣＤ(Compact Disc)、ＭＤ(Mini Disc)、半導体メモリなどに相当する。
【００１７】
無線通信部１３は、コネクション型の無線通信方式（即ち、論理的なコネクションを保った状態でオーディオデータなどを送受する無線通信方式）を実現する無線通信インタフェースに基づく通信モジュールに相当する。ここでは無線通信インタフェースとしてBluetoothを適用するものとする。Bluetoothでは、オーディオデータなどの送信は、装置間でネゴシエーションを行い論理的なコネクションを確立した上で行われる。この場合、通信は双方向で行うことが可能である。なお、コネクション型の無線通信方式であれば、Bluetooth以外の無線通信インタフェース（無線ＬＡＮなど）を適用してもよい。
【００１８】
電源１４は、音楽再生装置１の各コンポーネントに電力を供給するバッテリを有している。
【００１９】
システム制御部１５は、音楽再生装置１全体の動作を司るＣＰＵ(Central Processing Unit)及びメモリに相当するものであり、所定のプログラムに従って消費電力制御などを実行する。
【００２０】
システム制御部１５は、図３に示されるように再生処理制御部１５１、無線通信制御部１５２、電力制御部１５３といった各種の機能を有している。
【００２１】
再生処理制御部１５１は、操作部１１上の再生ボタン、停止ボタン、一時停止ボタンなどの押下により発せられる各種のコマンドに応じて、オーディオデータ格納部１２に格納されているオーディオデータを再生したりその再生を停止したりする。なお、再生されたオーディオデータは無線通信制御部１５２を介して他の電子機器（ここではヘッドフォン２）へ送信される。
【００２２】
無線通信制御部１５２は、無線通信部（通信モジュール）１３を制御するソフトウェアに相当し、再生されたオーディオデータを他の電子機器（ここではヘッドフォン２）へ送信したりその電子機器と各種コマンドの受け渡しをしたりする。
【００２３】
電力制御部１５３は、操作部１１上の電源ボタンの押下に対応するコマンドに応じて電源１４のオン／オフ状態を制御するほか、音楽再生装置１内部で発生される所定のコマンドや他の電子機器（ここではヘッドフォン２）から送信されてくる所定のコマンドに従って電源１４（もしくは電源コントローラ）を制御することにより、音楽再生装置１を低消費電力動作状態に遷移させたり逆に低消費電力動作状態から元の（通常の）消費電力状態に復帰させたりする。そのほか、電力制御部１５３は、音楽再生装置１内部で発生される所定のコマンドに従って他の電子機器（ここではヘッドフォン２）を低消費電力動作状態に遷移させたり逆に低消費電力動作状態から元の（通常の）消費電力状態に復帰させたりするコマンドを無線通信部１２を通じて送信する機能も備えている。
【００２４】
なお、ここでいう低消費電力動作状態とは、前記無線通信に関わる消費電力を低減させた状態を意味し、無線通信の接続状態を保ったままとする第１のモード（SleepMode1）と、接続を断ち切った状態とする第２のモード（SleepMode2）とが用意されている。SleepMode1及びSleepMode2に関しては、後で詳述する。
【００２５】
一方、図２に示されるヘッドフォン２は、例えば携帯型のワイヤレスヘッドフォンであり、操作部２１、無線通信部２２、スピーカ２３、電源（及び電源コントローラ）２４、システム制御部２５などを有している。なお、ヘッドフォンの代わりに、ヘッドセットやイヤフォンを適用することも可能である。
【００２６】
操作部２1は、電源（オン／オフ）ボタンや再生処理用ボタン群（再生ボタン、停止ボタン、一時停止ボタン、早送りボタン、巻き戻しボタン）など、他の電子機器（ここでは音楽再生装置１）の操作に必要な操作ボタンもしくはスイッチを備えており、ボタン押下があった場合には対応するコマンドがシステム制御部１５へ送られるようになっている。
【００２７】
無線通信部２２は、コネクション型の無線通信方式（即ち、論理的なコネクションを保った状態でオーディオデータなどを送受する無線通信方式）を実現する無線通信インタフェースに基づく通信モジュールに相当する。ここでは無線通信インタフェースとしてBluetoothを適用するものとする。なお、コネクション型の無線通信方式であれば、Bluetooth以外の無線通信インタフェース（無線ＬＡＮなど）を適用してもよい。
【００２８】
スピーカ２３は、無線通信部２２を通じて他の電子機器（ここでは音楽再生装置１）から送信されてくるオーディオデータに従って音声を出力する。
【００２９】
電源２４は、ヘッドフォン２の各コンポーネントに電力を供給するバッテリを有している。
【００３０】
システム制御部２５は、ヘッドフォン２全体の動作を司るＣＰＵ(Central Processing Unit)及びメモリに相当するものであり、所定のプログラムに従って消費電力制御などを実行する。
【００３１】
システム制御部１５は、図４に示されるように音声出力制御部２５１、無線通信制御部２５２、電力制御部２５３といった各種の機能を有している。
【００３２】
音声出力制御部２５１は、無線通信部２２を通じて他の電子機器（ここでは音楽再生装置１）から送信されてくるオーディオデータを受信してスピーカ２３に音声出力させる。そのほか、音声出力制御部２５１は、操作部２１上の再生ボタン、停止ボタン、一時停止ボタンなどの押下により発せられる各種のコマンドに応じて、他の電子機器（ここでは音楽再生装置１）にオーディオデータの再生や停止を指示するコマンドを無線通信部２２を通じて送信する機能も備えている。
【００３３】
無線通信制御部２５２は、無線通信部（通信モジュール）２２を制御するソフトウェアに相当し、他の電子機器（ここでは音楽再生装置１）から送信されてくるオーディオデータをシステム制御部２５に引き渡したりその電子機器と各種コマンドの受け渡しをしたりする。
【００３４】
電力制御部２５３は、操作部２１上の電源ボタンの押下に対応するコマンドに応じて電源２４のオン／オフ状態を制御するほか、ヘッドフォン２内部で発生される所定のコマンドや他の電子機器（ここでは音楽再生装置１）から送信されてくる所定のコマンドに従って電源２４（もしくは電源コントローラ）を制御することにより、ヘッドフォン２を低消費電力動作状態に遷移させたり逆に低消費電力動作状態から元の（通常の）消費電力状態に復帰させたりする。そのほか、電力制御部２５３は、ヘッドフォン２内部で発生される所定のコマンドに従って他の電子機器（ここでは音楽再生装置１）を低消費電力動作状態に遷移させたり逆に低消費電力動作状態から元の（通常の）消費電力状態に復帰させたりするコマンドを無線通信部２２を通じて送信する機能も備えている。
【００３５】
なお、SleepMode1及びSleepMode2に関しては、後で詳述する。
【００３６】
次に、音楽再生装置１とヘッドフォン２との間でコネクション型の通信リンクが確立するまでの手順を簡単に示す。
【００３７】
例えばBluetoothによるコネクションが確立するまでのステップは３つの段階に大別できる。
【００３８】
・Inquiry（周辺機器の機器固有アドレス(BD_ADDR)の取得）
・Paging（所望のBD_ADDR機器に対してのリンクレイヤレベルのコネクション確立）
・Service（所望のサービス（アプリケーション）レベルでのコネクション確立）
この場合の処理の手順を図５に示す。なお、図５では、ヘッドフォン２をマスターとし、音楽再生装置１をスレーブとした例を示している。
【００３９】
すなわち、マスターは、Inquiry massageを送信して、スレーブからBD_ADDRを取得する。BD_ADDRを取得できた後は、マスターは、Paging Messageを送信し、スレーブからConnect OKを得て、リンクレイヤレベルのコネクションを確立させる。この後、マスターは、例えばAV Serviceを送信して、スレーブからService OKを得て、サービス（アプリケーション）レベルでのコネクションを確立させる。この状態になった後は、各種のＡＶ処理用コマンドに基づき、音楽再生装置を操作することが可能となる。
【００４０】
なお、音楽再生装置１をマスターとし、ヘッドフォン２をスレーブとすることも勿論可能である。
【００４１】
このようにコネクションが確立した状態で、例えば音楽再生中に音楽再生装置１とヘッドフォン２のいずれかの側で停止コマンド、もしくは一時停止コマンドが発行された（すなわち、停止ボタンもしくは一時停止ボタンが押下された）場合を考える。このとき、停止コマンドにより、ＡＶデータ用チャネルに関しては、ＡＶデータの流れが止まった状態となる。また、音楽再生装置１及びヘッドフォン２は、低消費電力動作状態(SleepMode)に入る。また必要に応じてタイマで一定時間計測した後に低消費電力動作状態に入る。
【００４２】
ここで、本実施形態における低消費電力動作状態として、次の２種類が用意されている。
【００４３】
SleepMode1：  再生停止時に、コネクションを保ったままSNIFFモードもしくはPARKモードに移行させるためのモード
SleepMode2：  再生停止時に、コネクションそのものが切断された状態に移行させるためのモード
ユーザは音楽再生装置１とヘッドフォン２の少なくとも一方においてSleepMode1とSleepMode2のいずれか一方を選択・設定できるようになっており、その設定情報は、選択された方のモードがイネーブルにされた状態で所定の記憶領域に保存される。
【００４４】
ここで、図６のフローチャートを参照して、低消費電力動作状態に移行するための処理手順の一例を示す。
【００４５】
再生中に停止コマンドが検出されると（ステップＳ１）、SleepMode1とSleepMode2のいずれがイネーブルであるかが判定される（ステップＳ２、Ｓ４）。SleepMode1がイネーブルであれば（ステップＳ２のＹｅｓ）、SNIFFモードもしくはPARKモードにより無線通信システム全体を省パワーモードに移行させる（ステップＳ３）。一方、SleepMode2がイネーブルであれば（ステップＳ４のＹｅｓ）、コネクションを切断した後、無線通信システム全体を省パワーモードに移行させる（ステップＳ５）。
【００４６】
SleepMode1の場合、コネクションを保つための処理は必要最低限に抑えられるため、消費電力の大幅低減を図ることができる。またSleepMode2の場合、コネクションを保つための処理は全く発生しなくなるので、SleepMode1よりも更に消費電力を低減させることができる。
【００４７】
次に、図７のフローチャートを参照して、低消費電力動作状態から通常の動作モードに復帰させるための処理手順の一例を示す。
【００４８】
再生停止中に再生コマンドが検出されると（ステップＴ１）、SleepMode1とSleepMode2のいずれがイネーブルであるかが判定される（ステップＴ２、Ｔ４）。SleepMode1がイネーブルであれば（ステップＴ２のＹｅｓ）、SNIFFモードもしくはPARKモードを解除して無線通信システム全体を通常の動作モードに復帰させた後に、再生を実行する（ステップＴ３）。一方、SleepMode2がイネーブルであれば（ステップＴ４のＹｅｓ）、コネクションを確立して無線通信システム全体を通常の動作モードに復帰させた後に、再生を実行する（ステップＴ５）。
【００４９】
SleepMode2の場合、コネクションを確立するための処理（Paging処理など）を行う必要があるが、ユーザにとって気にならないほどの遅延時間ですぐに再生を開始することができる。また、SleepMode1の場合、コネクションを確立するための処理を行う必要がないので、遅延時間を更に短縮することができる。
【００５０】
以下に、本実施形態による消費電力制御の具体的な動作例をいくつか挙げて説明する。
【００５１】
＜音楽再生装置が「マスター」、ヘッドフォンが「スレーブ」の場合の動作＞
まず、図８〜図１１のフローチャートを参照して、音楽再生装置１がマスターでありヘッドフォン２がスレーブである場合の動作を説明する。
【００５２】
ここでは、動作を理解しやすくするために、「SleepMode1」が固定的に選択・設定されている場合の動作（図８及び図９）と、「SleepMode2」が固定的に選択・設定されている場合の動作（図１０及び図１１）とに分けて説明する。
【００５３】
図８に、SleepMode1が設定されている場合の音楽再生装置（マスター）側の処理手順を示す。
【００５４】
電源の投入を検出すると（ステップＡ１）、音楽再生装置１は待機状態となる（ステップＡ２）。この後、必要であればInquiry処理を完了させた後、Page（コネクト要求）を行う（ステップＡ３）。これに対する応答があれば（ステップＡ４）、ヘッドフォン２とのリンクが確立し（ステップＡ５）、音楽再生装置１は低消費電力動作状態「SleepMode1」に移行する（ステップＡ６）。なお、このときヘッドフォン２も自動的に（もしくは音楽再生装置１からのコマンドに従って）低消費電力動作状態「SleepMode1」に移行する。
【００５５】
この後、再生ボタンの押下があった場合には（ステップＡ７）、音楽再生装置１は低消費電力動作状態から元の動作状態に復帰し（ステップＡ８）、同時にヘッドフォン２に対しても元の動作状態に復帰すべきことを示すコマンドを送信する（ステップＡ９）。そして、オーディオデータの再生処理及びヘッドフォン２へのオーディオデータの送信を行う（ステップＡ１０）。
【００５６】
この後、停止ボタンもしくは一時停止ボタンの押下があった場合には（ステップＡ１１）、再生を停止し（ステップＡ１２）、ヘッドフォン２に対して低消費電力動作状態「SleepMode1」に移行すべきことを示すコマンドを送信し（ステップＡ１３）、ステップＡ６からの処理を繰り返す。
【００５７】
図９に、SleepMode1が設定されている場合のヘッドフォン２（スレーブ）側の処理手順を示す。
【００５８】
電源の投入を検出すると（ステップＢ１）、ヘッドフォン２は待機状態となる（ステップＢ２）。この後、音楽再生装置１からPage（コネクト要求）があれば（ステップＢ３）、これに応答する（ステップＢ４）。これにより、音楽再生装置１とのリンクが確立し（ステップＢ５）、ヘッドフォン２は低消費電力動作状態「SleepMode1」に移行する（ステップＢ６）。なお、このときヘッドフォン２は自動的に（もしくは音楽再生装置１からのコマンドに従って）低消費電力動作状態「SleepMode1」に移行する。
【００５９】
この後、音楽再生装置１から元の動作状態に復帰すべきことを示すコマンドが送信されてくれば（ステップＢ７）、ヘッドフォン２は低消費電力動作状態から元の動作状態に復帰し（ステップＢ８）、音楽再生装置１から送られてくるオーディオデータの受信及び音声出力を行う（ステップＢ９）。
【００６０】
この後、音楽再生装置１から低消費電力動作状態「SleepMode1」に移行すべきことを示すコマンドが送信されてくれば（ステップＢ１０）、ステップＢ６からの処理を繰り返す。
【００６１】
図１０に、SleepMode2が設定されている場合の音楽再生装置（マスター）側の処理手順を示す。
【００６２】
電源の投入を検出すると（ステップＣ１）、音楽再生装置１は待機状態となる（ステップＣ２）。
【００６３】
この後、再生ボタンの押下があった場合には（ステップＣ３）、必要であればInquiry処理を完了させた後、Page（コネクト要求）を行う（ステップＣ４）。これに対する応答があれば（ステップＣ５）、ヘッドフォン２とのリンクが確立し（ステップＣ６）、オーディオデータの再生処理及びヘッドフォン２へのオーディオデータの送信を行う（ステップＣ７）。
【００６４】
この後、停止ボタンもしくは一時停止ボタンの押下があった場合には（ステップＣ８）、再生を停止し（ステップＣ９）、ヘッドフォン２に対して接続の切断要求及び低消費電力動作状態「SleepMode2」に移行すべきことを示すコマンドを送信し（ステップＣ１０）、接続の切断を行い（ステップＣ１１）、ステップＣ２からの処理を繰り返す。
【００６５】
図１１に、SleepMode2が設定されている場合のヘッドフォン２（スレーブ）側の処理手順を示す。
【００６６】
電源の投入を検出すると（ステップＤ１）、ヘッドフォン２は待機状態となる（ステップＤ２）。この後、音楽再生装置１からPage（コネクト要求）があれば（ステップＤ３）、これに応答する（ステップＤ４）。これにより、音楽再生装置１とのリンクが確立し（ステップＤ５）、音楽再生装置１から送られてくるオーディオデータの受信及び音声出力を行う（ステップＤ６）。
【００６７】
この後、音楽再生装置１から接続の切断要求及び低消費電力動作状態「SleepMode2」に移行すべきことを示すコマンドが送信されてくれば（ステップＤ７）、接続の切断を行い（ステップＤ８）、ステップＤ２からの処理を繰り返す。
【００６８】
＜ヘッドフォンが「マスター」、音楽再生装置が「スレーブ」の場合の動作＞
最後に、図１２〜図１５のフローチャートを参照して、ヘッドフォン２がマスターであり音楽再生装置１がスレーブである場合の動作を説明する。
【００６９】
ここでは、動作を理解しやすくするために、「SleepMode1」が固定的に選択・設定されている場合の動作（図１２及び図１３）と、「SleepMode2」が固定的に選択・設定されている場合の動作（図１４及び図１５）とに分けて説明する。
【００７０】
図１２に、SleepMode1が設定されている場合のヘッドフォン（マスター）側の処理手順を示す。
【００７１】
電源の投入を検出すると（ステップＥ１）、ヘッドフォン２は待機状態となる（ステップＥ２）。この後、必要であればInquiry処理を完了させた後、Page（コネクト要求）を行う（ステップＥ３）。これに対する応答があれば（ステップＥ４）、音楽再生装置１とのリンクが確立し（ステップＥ５）、ヘッドフォン２は低消費電力動作状態「SleepMode1」に移行する（ステップＥ６）。なお、このとき音楽再生装置１も自動的に（もしくはヘッドフォン２からのコマンドに従って）低消費電力動作状態「SleepMode1」に移行する。
【００７２】
この後、再生ボタンの押下があった場合には（ステップＥ７）、ヘッドフォン２は低消費電力動作状態から元の動作状態に復帰し（ステップＥ８）、同時に音楽再生装置１に対しても元の動作状態に復帰すべきことを示すコマンドを送信する（ステップＥ９）。そして、音楽再生装置１に対して再生処理を行うべきことを示すコマンドを送信し（ステップＥ１０）、音楽再生装置１から送られてくるオーディオデータの受信及び音声出力を行う（ステップＥ１１）。
【００７３】
この後、停止ボタンもしくは一時停止ボタンの押下があった場合には（ステップＥ１２）、音楽再生装置１に対して再生の停止を行うべきことを示すコマンドを送信し（ステップＥ１３）、同時に低消費電力動作状態「SleepMode1」に移行すべきことを示すコマンドを送信し（ステップＥ１４）、ステップＥ６からの処理を繰り返す。
【００７４】
なお、ステップＥ１３の処理によって音楽再生装置１が自動的に低消費電力動作状態「SleepMode1」に移行するように構築しておけば、ステップＥ１４の処理は不要となる。
【００７５】
図１３に、SleepMode1が設定されている場合の音楽再生装置１（スレーブ）側の処理手順を示す。
【００７６】
電源の投入を検出すると（ステップＦ１）、音楽再生装置１は待機状態となる（ステップＦ２）。この後、ヘッドフォン２からPage（コネクト要求）があれば（ステップＦ３）、これに応答する（ステップＦ４）。これにより、ヘッドフォン２とのリンクが確立し（ステップＦ５）、音楽再生装置１は低消費電力動作状態「SleepMode1」に移行する（ステップＦ６）。なお、このとき音楽再生装置１は自動的に（もしくはヘッドフォン２からのコマンドに従って）低消費電力動作状態「SleepMode1」に移行する。
【００７７】
この後、ヘッドフォン２から元の動作状態に復帰すべきことを示すコマンドが送信されてくれば（ステップＦ７）、音楽再生装置１は低消費電力動作状態から元の動作状態に復帰する（ステップＦ８）。また、ヘッドフォン２から再生処理を行うべきことを示すコマンドが送信されてくれば（ステップＦ９）、オーディオデータの再生処理及びヘッドフォン２へのオーディオデータの送信を行う（ステップＦ１０）。
【００７８】
この後、ヘッドフォン２から再生を停止すべきことを示すコマンドが送信されてくれば（ステップＦ１１）、再生を停止する（ステップＦ１２）。また、ヘッドフォン２から低消費電力動作状態「SleepMode1」に移行すべきことを示すコマンドが送信されてくれば（ステップＦ１３）、ステップＦ６からの処理を繰り返す。
【００７９】
図１４に、SleepMode2が設定されている場合のヘッドフォン（マスター）側の処理手順を示す。
【００８０】
電源の投入を検出すると（ステップＧ１）、ヘッドフォン２は待機状態となる（ステップＧ２）。
【００８１】
この後、再生ボタンの押下があった場合には（ステップＧ３）、必要であればInquiry処理を完了させた後、Page（コネクト要求）を行う（ステップＧ４）。これに対する応答があれば（ステップＧ５）、音楽再生装置１とのリンクが確立する（ステップＧ６）。そして、音楽再生装置１に対して再生処理を行うべきことを示すコマンドを送信し（ステップＧ７）、音楽再生装置１から送られてくるオーディオデータの受信及び音声出力を行う（ステップＧ８）。
【００８２】
この後、停止ボタンもしくは一時停止ボタンの押下があった場合には（ステップＧ９）、音楽再生装置１に対して再生の停止を行うべきことを示すコマンドを送信し（ステップＧ１０）、同時に接続の切断要求及び低消費電力動作状態「SleepMode2」に移行すべきことを示すコマンドを送信し（ステップＧ１１）、接続の切断を行い（ステップＧ１２）、ステップＧ２からの処理を繰り返す。
【００８３】
なお、ステップＧ１０の処理によって音楽再生装置１が自動的に接続の切断を行い、低消費電力動作状態「SleepMode2」に移行するように構築しておけば、ステップＧ１１の処理は不要となる。
【００８４】
図１５に、SleepMode2が設定されている場合の音楽再生装置１（スレーブ）側の処理手順を示す。
【００８５】
電源の投入を検出すると（ステップＨ１）、音楽再生装置１は待機状態となる（ステップＨ２）。この後、ヘッドフォン２からPage（コネクト要求）があれば（ステップＨ３）、これに応答する（ステップＨ４）。これにより、ヘッドフォン２とのリンクが確立する（ステップＨ５）。この後、ヘッドフォン２から再生処理を行うべきことを示すコマンドが送信されてくれば（ステップＨ６）、オーディオデータの再生処理及びヘッドフォン２へのオーディオデータの送信を行う（ステップＨ７）。
【００８６】
この後、ヘッドフォン２から再生を停止すべきことを示すコマンドが送信されてくれば（ステップＨ８）、再生を停止する（ステップＨ９）。また、ヘッドフォン２から接続の切断要求及び低消費電力動作状態「SleepMode2」に移行すべきことを示すコマンドが送信されてくれば（ステップＨ１０）、接続の切断を行い（ステップＨ１１）、ステップＨ２からの処理を繰り返す。
【００８７】
このように、本実施形態によれば、オーディオデータを再生可能な音楽再生装置１と、再生されたオーディオデータに基づく音声を出力可能なヘッドフォン２とにより構成される、コネクション型の無線通信方式による無線通信システムにおいて、音楽再生装置１やヘッドフォン２の使い勝手の良好さを維持しつつ、システム全体の消費電力の低減を実現することができる。
【００８８】
なお、本発明は、上述した実施形態に限定されるものではなく、その要旨を逸脱しない範囲内で種々変形して実施することが可能である。
【００８９】
例えば、上記実施形態では音楽再生装置１とヘッドフォン２とで同種の低消費電力動作が設定される場合を説明したが、異なる低消費電力動作を設定することも可能である。また、音楽再生装置１とヘッドフォン２の一方だけが低消費電力動作を実現できる構成としてもよい。
【００９０】
また、低消費電力動作状態に移行したときや、低消費電力動作状態から元の動作状態に復帰したときにビープ音などでユーザに通知するようにしてもよい。
【００９１】
また、上記実施形態ではコンテンツデータの一種としてオーディオデータを用いる場合を例示したが、本発明はこれには限定されず、ビデオデータを用いてもよい。この場合、音楽再生装置とヘッドフォンとの組合せに代えて、画像再生装置と画像出力装置との組合せを採用すればよい。また、オーディオデータとビデオデータの両方を用いるようにしてもよい。
【００９２】
【発明の効果】
以上詳記したように本発明によれば、使い勝手の良好さを維持しつつ消費電力の低減を実現できる。
【図面の簡単な説明】
【図１】本発明の一実施形態に係る音楽再生装置の概略構成を示すブロック図。
【図２】同実施形態に係るヘッドフォンの概略構成を示すブロック図。
【図３】図１に示される音楽再生装置のシステム制御部の機能構成を示すブロック図。
【図４】図２に示されるヘッドフォンのシステム制御部の機能構成を示すブロック図。
【図５】音楽再生装置とヘッドフォンとの間でコネクション型の通信リンクが確立するまでの手順を示す図。
【図６】低消費電力動作状態に移行するための処理手順の一例を示すフローチャート。
【図７】低消費電力動作状態から通常の動作モードに復帰させるための処理手順の一例を示すフローチャート。
【図８】  SleepMode1が設定されている場合の音楽再生装置（マスター）側の処理手順を示すフローチャート。
【図９】  SleepMode1が設定されている場合のヘッドフォン２（スレーブ）側の処理手順を示すフローチャート。
【図１０】  SleepMode2が設定されている場合の音楽再生装置（マスター）側の処理手順を示すフローチャート。
【図１１】  SleepMode2が設定されている場合のヘッドフォン２（スレーブ）側の処理手順を示すフローチャート。
【図１２】  SleepMode1が設定されている場合のヘッドフォン（マスター）側の処理手順を示すフローチャート。
【図１３】  SleepMode1が設定されている場合の音楽再生装置１（スレーブ）側の処理手順を示すフローチャート。
【図１４】  SleepMode2が設定されている場合のヘッドフォン（マスター）側の処理手順を示すフローチャート。
【図１５】  SleepMode2が設定されている場合の音楽再生装置１（スレーブ）側の処理手順を示すフローチャート。
【符号の説明】
１…音楽再生装置
２…ヘッドフォン
１１…操作部
１２…オーディオデータ格納部
１３…無線通信部
１４…電源（及び電源コントローラ）
１５…システム制御部
２１…操作部
２２…無線通信部
２３…スピーカ
２４…電源
２５…システム制御部
１５１…再生処理制御部
１５２…無線通信制御部
１５３…電力制御部
２５１…音声出力制御部
２５２…無線通信制御部
２５３…電力制御部
【図１】
0003711100.tif 000002
【図２】
0003711100.tif 000003
【図３】
0003711100.tif 000004
【図４】
0003711100.tif 000005
【図５】
0003711100.tif 000006
【図６】
0003711100.tif 000007
【図７】
0003711100.tif 000008
【図８】
0003711100.tif 000009
【図９】
0003711100.tif 000010
【図１０】
0003711100.tif 000011
【図１１】
0003711100.tif 000012
【図１２】
0003711100.tif 000013
【図１３】
0003711100.tif 000014
【図１４】
0003711100.tif 000015
【図１５】
0003711100.tif 000016